(57)【要約】【課題】  簡易な構成でありながら控え柱の後方への回転を防止して、支柱、フェンス等の被支持物を確実に支持して、その転倒を防ぐ控え柱の回転防止器具を提供する。【解決手段】 平板からなる基板４０を作成し、この基板４０の前端に杭の表面に当接する杭の係合部４１を構成すると共に、基板４０の後端に連結部４２を介して固定部４３を一体に構成すると共に、上記基板４０の後部の側方に切欠部４０１を構成し、上記固定部４３の、基板４０の切欠部４０１と反対側の側方に切欠部４３１を設けてなる。【選択図】図１２
0003114596.tif 000002
【実用新案登録請求の範囲】
【請求項１】
平板からなる基板を作成し、この基板の前部に杭の表面に当接する湾曲部からなる杭の係合部を構成すると共に、基板の後部に孔を穿設しこの孔の上に筒状の控え柱の固定部を構成した控え柱の回転防止器具。
【請求項２】
平板からなる基板を作成し、この基板の前部に杭の表面に当接する湾曲部からなる杭の係合部を構成し、基板の後部に連結部を介して固定部を一体に構成すると共に、
上記基板と固定部に孔を穿設して控え柱の収納部を構成した控え柱の回転防止器具。
【請求項３】
平板からなる基板を作成し、この基板の前部に杭の表面に当接する湾曲部からなる杭の係合部を構成し、基板の後部に連結部を介して固定部を一体に構成すると共に、
上記基板に、側方に開口部を有する控え柱の収納部を構成する一方、上記固定部に、上記基板の開口部と反対側の側方に開口部を有する控え柱の収納部を設けた控え柱の回転防止器具。
【請求項４】
上記基板の開口部に、基板の中心線と直交しない前端縁を構成し、この前端縁に連続した円弧状の内側縁によって控え柱の収納部を構成すると共に、
上記固定部の開口部の前端縁に突起部を構成し、この突起部に連続した円弧状の内側縁によって控え柱の収納部を構成したことを特徴とする請求項３記載の控え柱の回転防止器具。
【請求項５】
上記基板に対し、固定部を一定の仰角を有して取り付けたことを特徴とする請求項２又は請求項３又は請求項４記載の控え柱の回転防止器具。
【考案の詳細な説明】
【技術分野】
【０００１】
本考案は、仮設フェンス等を支える控え柱の回転防止器具に関するものである。
【背景技術】
【０００２】
フェンス等を設置する際に、垂直に立設した支柱にフェンスを固定し、この支柱を後方か控え柱で支えていた。そして、控え柱の下端は、自在クランプからなるクランプ部材によって予め地中に打ち込んである杭に連結する。
【０００３】
ところで、フェンスに風圧などがかかり支柱に荷重がかかった場合、それを支える控え柱は後方に傾斜して、その荷重をクランプ部材が支えきれずに回転してしまい、フェンスの倒壊を防ぐことができなかった。
これは従来のクランプ部材が主に自在クランプによって構成されているため、控え柱の後方への回転を防ぐことは出来なかったのである。
【特許文献１】特開平８−３１２２０５
【考案の開示】
【考案が解決しようとする課題】
【０００４】
本考案は上記の点に鑑みなされたものであり、簡易な構成でありながら控え柱の後方への回転を防止して、支柱、フェンス等の被支持物を確実に支持して、その倒壊を防ぐ控え柱の回転防止器具を提供するものである。
【課題を解決するための手段】
【０００５】
本考案の要旨とするところは、平板からなる基板を作成し、この基板の前部に杭の表面に当接する湾曲部からなる杭の係合部を構成すると共に、基板の後部に孔を穿設しこの孔の上に筒状の控え柱の固定部を構成したことにある。
【０００６】
また本考案の要旨とするところは、平板からなる基板を作成し、この基板の前部に杭の表面に当接する湾曲部からなる杭の係合部を構成し、基板の後部に連結部を介して固定部を一体に構成すると共に、上記基板と固定部に孔を穿設して控え柱の収納部を構成したことにある。
【０００７】
また本考案の要旨とするところは、平板からなる基板を作成し、この基板の前部に杭の表面に当接する湾曲部からなる杭の係合部を構成し、基板の後部に連結部を介して固定部を一体に構成すると共に、上記基板に、側方に開口部を有する控え柱の収納部を構成する一方、上記固定部に、上記基板の開口部と反対側の側方に開口部を有する控え柱の収納部を設けたことにある。
【０００８】
また本考案の要旨とするところは、上記基板の開口部に、基板の中心線と直交しない前端縁を構成し、この前端縁に連続した円弧状の内側縁によって控え柱の収納部を構成すると共に、上記固定部の開口部の前端縁に突起部を構成し、この突起部に連続した円弧状の内側縁によって控え柱の収納部を構成したことにある。
【０００９】
また本考案の要旨とするところは、上記基板に対し、固定部を一定の仰角を有して取り付けたことにある。
【考案の効果】
【００１０】
本考案は上記の如き構成であるため、簡易な構成で取り扱いが簡単である。使用に際しては、固定部によって控え柱に固定され、係合部が杭の表面に固定されるため、控え柱が揺れ動いた場合にも係合部は常に杭に密着した状態を保てるため控え柱は杭に確実に支持される。
また、控え柱にクランプを中心に回転する力が働いた場合には、回転防止器具は、後部の固定部で控え柱を支持すると共に、先端の係合部が杭の表面に当接して杭を強く押圧して控え柱の回転を防止する。
【００１１】
また、上記基板に、側方に開口部を有した控え柱の収納部を構成する一方、上記固定部に、上記基板の開口部と反対側の側方に開口部を有した控え柱の収納部を設けるようにした場合には、控え柱に対して取り付け及び取り外しが容易に行なえ、さらには控え柱を杭に固定した状態で、取り付け及び取り外しができるため、作業能率が向上する。
【００１２】
上記基板の開口部の前端縁を基板の中心線と直交しない方向に構成し、この前端縁に連続した円弧状の内側縁によって基板を切り欠いて控え柱の収納部を構成し、かつ固定部の開口部の前端縁に突起部を構成し、この突起部に連続した円弧状の内側縁によって固定部を切り欠いて控え柱の収納部を構成した場合は、控え柱が収納部により確実に支持されるため、控え柱が横揺れした場合にも外れることを防止できる。
【００１３】
また、固定部が基板に対して一定角度の仰角を有する場合には、基板を略水平状態で取り付けることができるため、控え柱の前後の回動に対してより効果的に回転を防止できる。
【考案を実施するための最良の形態】
【００１４】
本考案を実施するための最良の形態は、平板からなる基板を作成し、この基板の前部に杭の表面に当接する湾曲部からなる杭の係合部を構成すると共に、基板の後部に連結部を介して固定部を一体に構成すると共に、
上記基板の後部に、側方に開口部を有して内部を切り欠いた控え柱の収納部を構成する一方、上記固定部に、上記基板の開口部と反対側の側方に開口部を有して内部を切り欠いた控え柱の収納部を設け、上記基板に対し、固定部を一定の仰角を有して取り付けた控え柱の回転防止器具である。
【００１５】
以下、本考案の第１実施形態を図に基づいて説明する。図１は第１実施形態の平面図、図２は図１のＡ―Ａ断面図、図３乃至図６は本実施形態の使用状態を示す説明図で、図３は支柱によって立設されたフェンスの正面図、図４は同側面図、図５は建築物の足場に使用した例を示す説明図及び図６は使用状態の拡大図である。
【００１６】
本実施形態の控え柱の回転防止器具（以下、回転防止器具という）１は、金属の平板からなる略楕円形状の基板１０からなり、この基板１０の前端（図中右端）に湾曲部１１１を構成して杭の係合部１１とする。一方、後部には控え柱７１を挿通するための孔を穿設し、この孔の径に合致させて、控え柱へ係止するための円筒状の固定部１２を立設する。
この固定部１２は、本実施形態では基板１０に対して垂直に固定しているが、必要に応じて傾斜して固定しても良い。
【００１７】
次に、本実施形態の作用について説明する。
図３、図４に示すように、フェンス７０、７０、・・を２本の支柱７２で支持して立設し、この支柱７２の後方から支持するように控え柱７１を傾斜して取り付ける。そして、この控え柱７１の下方に回転防止器具１を取り付けた後、控え柱７１を杭７３にクランプ７４で固定する。このとき回転防止器具１は、上記基板１０の固定部１２の孔１２１に控え柱７１を挿通して固定し、先端の係合部１１を杭７３の表面に当接して図６の状態となっている。
【００１８】
すなわち回転防止器具１は、上記固定部１２によって控え柱７１に固定され、かつ先端の係合部１１が杭７３の表面に固定される。この湾曲部１１１は、杭７３の湾曲した表面に沿って密着して当接しているため接触面積が大きく、かつ控え柱７１が揺れ動いた場合にも、湾曲部１１１はその動きに追随して動くことができ、常に杭７３の表面に密着した状態を保てるため、控え柱７１は杭７３に確実に支持される。
【００１９】
風圧等によってフェンス７に図中Ｗ方向に力が働くと、控え柱７１はクランプ７４を中心にしてＷ方向に回転しようとする。このとき、回転防止器具１は、後部の固定部１２で控え柱７１を支持すると共に、先端の係合部１１が杭７３の表面に当接して杭７３を強く押圧する。この押圧力は地中に打設した杭７３によって受け止められ、その反力によって回転防止器具１の回動が阻止され、そのため控え柱７１の回転は防止されるのである。
【００２０】
また、他の使用状態として図５に示すように、上記回転防止器具１は建築物７７の足場７８を支持する単管からなる控え柱７１を杭７３に固定する際にも使用することができる。
【００２１】
本考案の第２実施形態として図７、図８に示す回転防止器具２は、基板２０の後端を直角に曲折して連結部２２を構成し、更にこの連結部２２を基板２０側に直角に曲折して、基板２０に水平な固定部２３を構成する。その後、上記基板２０の後部と固定部２３の中央部分に、それぞれ同一中心同一径の孔を穿設して控え柱の収納部２０１，２３１とする。
上記基板２０と連結部２２の曲折は直角に限定されず、さらに基板２０と固定部２３は平行でなくてもよい。
【００２２】
使用に際しては、上記基板２０の孔２０１と固定部２３の孔２３１に控え柱７１を挿通するのである。その他の作用は上記第１実施形態と同様であるため詳細は省略する。
このような構成の回転防止器具２は、上記回転防止器具１より構成が簡単で製作に手間がかからないというメリットがある。
【００２３】
次に、本考案の第３実施形態を説明する。図９は第３実施形態の平面図、図１０は同正面図、図１１は使用状態を示す斜視図である。
本実施形態の回転防止器具３は、略楕円形状の平板からなる基板３０を作成し、この基板３０の前端に湾曲部３１１を構成して杭の係合部３１とする。そして、上記基板３０の後端を直角に曲折して連結部３２を構成し、更にこの連結部３２を基板３０側に直角に曲折して基板３０と水平な固定部３３を構成する。
【００２４】
上記基板３０は、控え柱を係合するための収納部３０２を構成するために、後部を円弧状に切り欠くと共に側方に開口部３０１を形成する。
上記開口部３０１の前端縁３０３は連結部３２の中心線Ｃ１と直交していて、この前端縁３０３に連続する半円形状の内側縁３０４及びテーパを有する後端縁３０５によって収納部３０２が構成されている。
【００２５】
一方、固定部３３も上記と同様に、連結部３２の中心線Ｃ１と直交する前端縁３３３と、それに連続する半円形状の内側縁３３４及び後端縁３３５によって、中央部分を円弧状に切り欠いて控え柱７１を係合支持するための収納部３３２を構成している。
そして、上記収納部３０１と収納部３３２は、それぞれの開口部３０１、３３１が互いに反対方向に位置している。
【００２６】
次に本実施形態の作用を図１１に基づいて説明する。
控え柱に取り付ける場合、まず控え柱７１に対して基板３０の開口部３０１から控え柱７１を挿入しながら収納部３０２に収納する。この状態で固定部３３を控え柱７１の周囲を巻くように回転させながら、開口部３３１から控え柱７１を収納部３３２へ挿入して、回転防止器具３を控え柱７１に固定させて、図１１の状態にする。
上記のように控え柱７１に回転防止器具３を固定した後、基板３０の先端の係合部３１を杭７３の表面に当接させればよい。
【００２７】
このようにして取り付けた本実施形態の回転防止器具３は、先端の係合部３１が杭７３の表面に当接し、かつ収納部３０２と収納部３３２によって控え柱７１に、強い摩擦力を伴って固定しているため、控え柱７３の回転を確実に防止することができる。
さらに、この回転防止器具３は、控え柱７１を杭７３に固定した状態で、取り付け及び取り外しができると共に、上記第１及び第２実施形態に比べそれらの作業が簡単に行なえるため、作業能率が向上するのである。
【００２８】
次に、本考案の第４実施形態を説明する。
図１２は第４実施形態の平面図、図１３は同正面図、図１４は基板の拡大説明図及び図１５は固定部の拡大説明図である。
本実施形態の回転防止器具４は、上記第２実施形態と略同様の形状であり、基板の収納部と固定部の収納部に相違がある。そのため、同一構成部分はその説明を省略する。
【００２９】
基板４０は、後部側方に開口部４０１を形成し、内側を円弧状に切り欠いて控え柱を係合するための収納部４０２を構成している。
上記開口部４０１の前端縁４０３は、基板の中心線Ｃ２と直角に交叉せず、前方（図１４右方）に向かって傾斜している。この前端縁４０３の延長線上に接して連続した円弧４０３ａの線より、所定の距離Ｌ１分内側に移動した位置に円弧状の内側縁４０４を形成して、収納部４０２が構成されている。
控え柱７１はその表面を、上記内側縁４０４に沿わせて係合させるため、円弧４０３ａより距離Ｌ１分内側に移動した位置に収納され、収納部４０２の後端縁４０５との間に間隙４０６が生じる。
その結果、控え柱７１は中心線Ｃ２と直交する方向、すなわち図中Ｘ方向に力が加わった場合にも、収納部４０２から容易に離脱することはないのである。
【００３０】
固定部４３は、円弧状の内側縁４３４に連続した前端縁４３３の内側に突起部４３９を形成する一方、内側縁４３４に連続する後端縁４３５とによって控え柱の収納部４３２を構成するもので、上記内側縁４３４に控え柱７１を係合して支持するのである。
上記突起部４３９は内側縁４３４の延長線上に接して連続した円弧４３３ａの線より内側に突起しているため、控え柱７１を内側縁４３４側に押圧することになる。
その結果、控え柱７１は、中心線Ｃ２と直交する方向、すなわち図中Ｙ方向に力が加わった場合にも前端縁４３３の突起部４３９によって容易に外れないのである。図中、符号４３１は開口部である。
【００３１】
図１６及び図１７は、上記第４実施形態の他例であり、開口部の前端縁を後方に傾斜させたものであり、基本的には第４実施形態と同様の構成からなるため、重複する部分は説明を省略する。
基板５０の開口部５０１の前端縁５０３は、基板の中心線Ｃ２と直角に交叉せず、後方（図１６左方）に向かって傾斜している。この前端縁５０３の延長線上に接して連続した内側縁５０４を形成する。
一方、後端縁５０５の延長線上に接して連続した円弧５０５ａより、所定の距離Ｌ１分内側に移動した位置に内側縁５０４を形成して、後端縁５０５と内側縁５０４及び前端縁５０３によって収納部５０２を形成する。
控え柱７１はその表面を、上記内側縁５０４に沿わせて係合させるため、円弧５０５ａの線より距離Ｌ１分内側に移動した位置に収納されるため振動などに対してはずれにくいのである。
また、固定部５３は、円弧状の内側縁５３４に連続した後端縁５３５に突起部５３３を形成してなる。なお、符号５３３ａは内側縁５３４の延長線上に接して連続した円弧である。この作用効果も前記第４実施形態の突起部４３９と同様であるため説明を省略する。
【００３２】
また、上記第４実施形態では連結部２２を曲折する際に、基板４２の後端縁４２ａを中心線Ｃ２に対して直交せしめているがこれに限定されず、図１８に示すように中心線Ｃ２に対し任意の角度βを有して連結部４２あるいは固定部４３を取り付けることもできる。
また、この取り付け態様は他の実施形態にも適用できる。
【００３３】
本考案の第５実施形態を図１９ないし図２０に示す。
本実施形態は、上記第４実施形態の回転防止器具４の基板４０に対して固定部４３を角度α上方に傾斜させたものである。
図１９の実施例では、基板４０に対して連結部４２をα度後方に傾斜させ、この連結部４２に対し固定部４３を直角に構成してある。そのため、固定部４３は基板４０に対してα度の仰角を有することになる。
図２０の実施例では、基板４０に対して連結部４２を直角に取り付け、この連結部４２に対し、固定部４３をα度上方に曲折した。これによって固定部４３は基板４０に対して、α度の仰角を有するのである。
本実施形態ではこの角度αを５度としたが、これに限定されない。
【００３４】
本実施形態の回転防止器具５、６を使用する際は、図２１に示すように、傾斜している控え柱７１に取り付けると基板４０が略水平となり、係合部４１１が杭７３に対して水平状態で係合するため、控え柱７１の前後の回動に対して外れにくくなるという特徴がある。
【図面の簡単な説明】
【００３５】
【図１】本考案の第１実施形態の平面図
【図２】図１のＡ―Ａ断面図
【図３】本考案の第１実施形態の使用状態を示す説明図
【図４】本考案の第１実施形態の使用状態を示す説明図
【図５】本考案の第１実施形態の使用状態を示す説明図
【図６】図４と図５の一部拡大図
【図７】本考案の第２実施形態の平面図
【図８】図７のＢ―Ｂ断面図
【図９】本考案の第３実施形態の平面図
【図１０】本考案の第３実施形態の正面図
【図１１】本考案の第３実施形態の使用状態を示す斜視図
【図１２】本考案の第４実施形態の平面図
【図１３】本考案の第４実施形態の正面図
【図１４】本考案の第４実施形態の基板の拡大説明図
【図１５】本考案の第４実施形態の固定部の拡大説明図
【図１６】本考案の第４実施形態の基板の他例を示す拡大説明図
【図１７】本考案の第４実施形態の固定部の他例を示す拡大説明図
【図１８】連結部の取り付け状態の他例を示す説明図
【図１９】本考案の第５実施形態の正面図
【図２０】本考案の第５実施形態の正面図
【図２１】本考案の第５実施形態の使用状態を示す説明図
【符号の説明】
【００３６】
１  控え柱の回転防止器具
２  控え柱の回転防止器具
３  控え柱の回転防止器具
４  控え柱の回転防止器具
５  控え柱の回転防止器具
６  控え柱の回転防止器具
１０  基板
２０  基板
３０  基板
４０  基板
５０  基板
２１  係合部
３１  係合部
４１  係合部
１２  固定部
２３  固定部
３３  固定部
４３  固定部
５３  固定部
２０１  控え柱の収納部
２３１  控え柱の収納部
３０２  控え柱の収納部
３３２  控え柱の収納部
４０２  控え柱の収納部
４３２  控え柱の収納部
３０１  開口部
３３１  開口部
４０１  開口部
４３１  開口部
５０１  開口部
５３１  開口部
３０３  前端縁
３０４  内側縁
３３３  前端縁
３３４  内側縁
４０３  前端縁
４０４  内側縁
４３３  前端縁
４３４  内側縁
５０３  前端縁
５０４  内側縁
５３５  後端縁
５３４  内側縁
４３９  突起部
５３３  突起部
７１  控え柱
７３  杭
Ｃ１  基板の中心線
Ｃ２  基板の中心線
α  仰角
【図１】
0003114596.tif 000003
【図２】
0003114596.tif 000004
【図３】
0003114596.tif 000005
【図４】
0003114596.tif 000006
【図５】
0003114596.tif 000007
【図６】
0003114596.tif 000008
【図７】
0003114596.tif 000009
【図８】
0003114596.tif 000010
【図９】
0003114596.tif 000011
【図１０】
0003114596.tif 000012
【図１１】
0003114596.tif 000013
【図１２】
0003114596.tif 000014
【図１３】
0003114596.tif 000015
【図１４】
0003114596.tif 000016
【図１５】
0003114596.tif 000017
【図１６】
0003114596.tif 000018
【図１７】
0003114596.tif 000019
【図１８】
0003114596.tif 000020
【図１９】
0003114596.tif 000021
【図２０】
0003114596.tif 000022
【図２１】
0003114596.tif 000023